(57)【要約】      （修正有）【課題】被介護者が例えばベットから車椅子に移動する際に、介護者及び被介護者の双方に負担が少なく容易に使用することができる介護用移動装置を提供する。【解決手段】介護用移動装置は、椅子１１を備えた着席部１０と、前記着席部を吊り下げ、該着席部を回動させる回動部２０と、前記回動部を回動可能に保持し、体重測定機能を備え上下に昇降する昇降部３０と、前記昇降部に設けられ、外部の機器に係留される係留部材を備えた係留部４０と、前記昇降部の下部を支持し、移動部材５２を備えた支持部４２Ａとにより構成する。使用に当たっては、被介護者を延伸した状態の前記椅子に移動させた後に、前記着席部が前記回動部を介して前記昇降部により上昇させ、前記椅子を延伸した状態から屈折した状態にし、前記被介護者を前記椅子に着席させる。【選択図】図１
0003165018.tif 000002
【実用新案登録請求の範囲】
【請求項１】
椅子を備えた着席部と、
前記着席部を吊り下げ、該着席部を回動させる回動部と、
前記回動部を回動可能に保持し、体重測定機能を備え上下に昇降する昇降部と、
前記昇降部に設けられ、外部の機器に係留される係留部材を備えた係留部と、
前記昇降部の下部を支持し、移動部材を備えた支持部とを有し、
被介護者を延伸した状態の前記椅子に移動させた後に、前記着席部が前記回動部を介して前記昇降部により上昇すると、前記椅子が延伸した状態から屈折した状態になり、前記被介護者が前記椅子に着席すること
を特徴とする介護用移動装置。
【請求項２】
前記係留部は、前記昇降部に対して回動及び昇降可能であること
を特徴とする請求項１に記載の介護用移動装置。
【請求項３】
前記係留部材は、該係留部材の先端が屈折可能であること
を特徴とする請求項１に記載の介護用移動装置。
【請求項４】
前記係留部材は、複数設けられ、該係留部材が独立又は連動して動作可能であること
を特徴とする請求項１に記載の介護用移動装置。
【請求項５】
前記支持部は、前記外部の機器に係留される係留部材を備えていること
を特徴とする請求項１に記載の介護用移動装置。
【請求項６】
前記着席部に、前記昇降部で測定された前記被介護者の体重が表示される表示部材が備えられていること
を特徴とする請求項１に記載の介護用移動装置。
【考案の詳細な説明】
【技術分野】
【０００１】
本考案は、被介護者が例えばベットから車椅子に移動する場合に、被介護者が一時的に着席する介護用の移動装置に関する。
【背景技術】
【０００２】
従来、歩行困難なため布団やベッド等に寝たきりの人々即ち被介護者を介護するための装置に関し、レール等の取り付けを不要とし、寝たきりの被介護者を安全にただ一人の手で簡単に吊り上げかつ簡単な方法にて釣り合いを保つことにより転倒を発生することなく公知の車椅子と同様な取り扱い方によって被介護者を所望の位置まで運ぶ釣り合い型リフト付き介護用装置の構成がある（例えば、特許文献１参照。）。
【０００３】
また、高齢者や障害者でベッドから車椅子などへの移動の際に被介助者に人の手による安心感を与え、又介助者の労力負担を軽減する移送介助装置に関し、移動体手段と、被介助者を支持する支持手段と、これら移動体手段と支持手段との間を連結支持し該被介助者の体重に応じて支持力の増減を制御可能な連結手段とからなる移送介助装置の構成がある（例えば、特許文献２参照。）。
【０００４】
同様に、介護用枠体式リフトに関し、体重平衡錘を収容する体重平衡錘受箱と、該体重平衡錘受箱の中央付近から立ち上がっている縦柱と、縦柱の上端からほぼ水平方向へ伸びている横柱と、該横柱から垂れ下がっている介護用のハンガーと、該ハンガーを上下方向及び水平方向に移動可能な手段と、転倒防止手段とからなる介護用枠体式リフト装置の構成がある（例えば、特許文献３参照。）。
【先行技術文献】
【特許文献】
【０００５】
【特許文献１】特許２５４９８２８号公報
【特許文献２】特開平１１−２９０３９８号公報
【特許文献３】特開平０８−０８９５３４号公報
【考案の概要】
【考案が解決しようとする課題】
【０００６】
しかしながら、前述の構成では、装置が大型且つ複雑な構造となり、該装置に体重測定機能も備える場合にはさらに大がかりになることから、例えば複数のベットに装置を随時移動させて使用することが困難であり、介護者及び被介護者の双方に負担が掛かるという問題点が有った。
【０００７】
そこで、本考案は前述の技術的な課題に鑑み、被介護者が例えばベットから車椅子に移動する際に、介護者及び被介護者の双方に負担が少なく容易に使用することができる介護用移動装置の提供を目的とする。
【課題を解決するための手段】
【０００８】
前述の課題を解決すべく、本考案に係る介護用移動装置は、椅子を備えた着席部と、前記着席部を吊り下げ、該着席部を回動させる回動部と、前記回動部を回動可能に保持し、体重測定機能を備え上下に昇降する昇降部と、前記昇降部に設けられ、外部の機器に係留される係留部材を備えた係留部と、前記昇降部の下部を支持し、移動部材を備えた支持部とを有し、被介護者を延伸した状態の前記椅子に移動させた後に、前記着席部が前記回動部を介して前記昇降部により上昇すると、前記椅子が延伸した状態から屈折した状態になり、前記被介護者が前記椅子に着席することを特徴とする。
【考案の効果】
【０００９】
本考案に係る介護用移動装置によれば、被介護者が例えばベットから車椅子に移動する際に、介護者及び被介護者の双方に負担が少なく容易に使用することができる。
【図面の簡単な説明】
【００１０】
【図１】本考案の第１の実施形態の介護用移動装置を使用する時の状態で示す斜視図である。
【図２】本考案の第１の実施形態の介護用移動装置を移動等させる時の状態で示す斜視図である。
【図３】本考案の第１の実施形態の介護用移動装置を構成する着席部の椅子の変形例を示す斜視図であり、（ａ）は側面に沿って伸縮可能な保護部材を備えた椅子を示す斜視図、（ｂ）は着脱可能な便座を設けていない椅子を示す斜視図である。
【図４】本考案の第１の実施形態の介護用移動装置を構成する昇降部に設けられた操作盤を示す斜視図である。
【図５】本考案の第１の実施形態の介護用移動装置をベットに装着している状態を示す斜視図である。
【図６】本考案の第１の実施形態の介護用移動装置を使用している状態を示す上面図であり、（ａ）は介護用移動装置の椅子の座席と背もたれが当接部を介して延伸した状態で該椅子をベットに載置した状態を示す上面図、（ｂ）は介護用移動装置の椅子の座席と背もたれが当接部を介して屈折した状態で被介護者が着席した該椅子をベットの横に移動させた状態を示す上面図、（ｃ）は介護用移動装置の椅子を車椅子に近接させた状態で被介護者を椅子から車椅子に移動させた状態を示す上面図である。
【図７】本考案の第２の実施形態の介護用移動装置を使用する時の状態で示す斜視図である。
【図８】本考案の第３の実施形態の介護用移動装置を使用する時の状態で示す斜視図である。
【考案を実施するための形態】
【００１１】
以下、本考案の介護用移動装置に係る好適な実施形態について、図面を参照しながら説明する。なお、本考案の介護用移動装置は、以下の記述に限定されるものではなく、本考案の要旨を逸脱しない範囲において、適宜変更可能である。
【００１２】
なお、以下の説明においては、最初に本考案の第１の実施形態の介護用移動装置１の構成及び使用方法について図１乃至図６を参照しながら説明する。次に本考案の第２の実施形態の介護用移動装置２の構成及び使用方法について図７を参照しながら説明する。さらに本考案の第３の実施形態の介護用移動装置３の構成及び使用方法について図８を参照しながら説明する。
【００１３】
［第１の実施形態］
以下、本考案の第１の実施形態の介護用移動装置１の構成及び使用方法について、図１乃至図６を参照しながら、具体的に説明する。
【００１４】
本考案の第１の実施形態の介護用移動装置１は、図１に示すように、着席部１０、回動部２０、昇降部３０、係留部４０、及び支持部５０から構成される。この様な介護用移動装置１は、被介護者を例えばベットから車椅子に移動させるときに用いる。以下、先ず介護用移動装置１の各構成について図１乃至図４を参照しながら説明し、次に介護用移動装置１の使用方法について図５及び図６を参照しながら説明する。
【００１５】
先ず、介護用移動装置１の各構成について、図１乃至図４を参照しながら、具体的に説明する。
【００１６】
第１の実施形態の介護用移動装置１を構成する着席部１０は、図１に示すように、被介護者が着席する椅子１１を備えている。この様な着席部１０は、椅子１１、吊り下げバンド１２、保護部材１３、及びシートベルト１４から構成される。以下、着席部１０の構成について説明する。
【００１７】
着席部１０の構成に関し、該着席部１０の椅子１１は、例えば、木材から成り、座席１１Ａと背もたれ１１Ｂが組み合わされている。ここで、座席１１Ａ及び背もたれ１１Ｂに、例えば、図示せぬ一定の伸縮性を有したゴムから成るクッション材をそれぞれ備えても良い。また、座席１１Ａに、例えば、図示せぬビニールから成るシートを着脱可能に設けても良い。なお、座席１１Ａと背もたれ１１Ｂは、当接部１１Ｄを中心に回動可能である。具体的には、座席１１Ａと背もたれ１１Ｂは、例えば蝶番が設けられた当接部１１Ｄにより、図示せぬ延伸した状態から、例えば図１に示す屈折した状態にすることができる。ここで、椅子１１の座席１１Ａには、板状に形成され着脱可能な便座１１Ｃが備えられている。また、椅子１１の便座１１Ｃは、該便座１１Ｃに設けられた図示せぬ凸状の突起が、座席１１Ａに設けられた凹状の溝に当接した状態で、例えば図示せぬテープで着脱可能に固定される。
【００１８】
また、着席部１０の構成に関し、該着席部１０の吊り下げバンド１２は、例えば、ポリエステルから成り、例えば紐状に形成されている。ここで、椅子１１の座席１１Ａの側面に、吊り下げバンド１２Ａ及び吊り下げバンド１２Ｂが、それぞれ接続されている。具体的には、例えば、図１において、吊り下げバンド１２Ａの両端が椅子１１の座席１１Ａの右側面にそれぞれ接合され、吊り下げバンド１２Ａの中央が後述する回動部２０の第１の回動部材２１に屈折された状態で吊されている。また、椅子１１の背もたれ１１Ｂの側面に、吊り下げバンド１２Ｃ及び吊り下げバンド１２Ｄが、それぞれ接合されている。具体的には、吊り下げバンド１２Ａと同様に、例えば、図１において、吊り下げバンド１２Ｃの両端が椅子１１の背もたれ１１Ｂの右側面にそれぞれ接続され、吊り下げバンド１２Ｃの中央が後述する回動部２０の第１の回動部材２１に屈折された状態で吊されている。
【００１９】
同様に、着席部１０の構成に関し、該着席部１０の保護部材１３は、例えば、網目状に織り込まれたナイロンから成り、矩形状に形成されている。ここで、椅子１１の座席１１Ａに接合された吊り下げバンド１２Ａの間に形成された空間に、保護部材１３Ａが接合されている。同様に、椅子１１の座席１１Ａに接合された吊り下げバンド１２Ｂの間に形成された空間に、保護部材１３Ｂが接合されている。この様な保護部材１３Ａ及び保護部材１３Ｂは、座席１１Ａに着席した被介護者の大腿部や腰の両側に位置し、着席部１０を移動させた場合等に、被介護者が椅子１１Ａの側面から転落することを防止する。同様に、椅子１１の背もたれ１１Ｂに接合された吊り下げバンド１２Ｃの間に形成された空間に、保護部材１３Ｃが接合されている。同様に、椅子１１の背もたれ１１Ｂに接合された吊り下げバンド１２Ｄの間に形成された空間に、保護部材１３Ｄが接合されている。この様な保護部材１３Ｃ及び保護部材１３Ｄは、座席１１Ａに着席した被介護者の腕や上半身の両側に位置し、着席部１０を移動させた場合等に、被介護者が背もたれ１１Ｂの側面から転落することを防止する。
【００２０】
同様に、着席部１０の構成に関し、該着席部１０のシートベルト１４は、例えば、ポリエステルから成り、例えば紐状に形成されている。ここで、シートベルト１４は、該シートベルト１４の両端が椅子１１の背もたれ１１Ｂの両側面にそれぞれ接続され、且つ、シートベルト１４の中央部分に着脱可能な金具が設けられている。この様なシートベルト１４は、座席１１Ａに着席した被介護者の腹部の上部を覆うようにして用いることにより、着席部１０を移動させた場合等に、被介護者が座席１１Ａから転落することを防止する。なお、上述したシートベルト１４は、座席１１Ａの両側面にそれぞれ接続する構成としても良い。
【００２１】
ここで、着席部１０の構成に関し、該着席部１０の変形例について、図３を参照しながら説明する。図３（ａ）には、側面に沿って伸縮可能な保護部材１６を備えた椅子１５を示している。具体的には、保護部材１６Ａ及び保護部材１６Ｂは、例えば、伸縮可能なゴム材から成り、椅子１５の側面に沿って対面同一に所定の高さの壁面を形成している。また、図３（ｂ）には、椅子１１と異なり、着脱可能な便座を設けていない椅子１７を示している。
【００２２】
第１の実施形態の介護用移動装置１を構成する回動部２０は、図１に示すように、着席部１０を吊り下げ、該着席部１０を回動させる。この様な回動部２０は、第１の回動部材２１、第２の回動部材２２、及び回動支持部材２３から構成される。以下、回動部２０の構成について説明する。
【００２３】
回動部２０の構成に関し、該回動部２０の第１の回動部材２１は、支持部２１Ａ、表示部２１Ｂ、係留部２１Ｃ、及び回動部２１Ｄから構成される。ここで、第１の回動部材２１の支持部２１Ａは、例えば、ステンレスから成り、板状に形成されている。また、第１の回動部材２１の表示部２１Ｂは、例えば、液晶モニターから成り、支持部２１Ａの一面に配設され、後述する昇降部３０で測定される体重を表示するものである。
【００２４】
また、回動部２０の構成に関し、第１の回動部材２１の係留部２１Ｃは、例えば鉄から成り、Ｕ字状に形成され、支持部２１Ａの下面に接続されている。この様な係留部２１Ｃは、前述した着席部１０の各吊り下げバンド１２を係留して吊り下げている。また、第１の回動部材２１の回動部２１Ｄは、例えばステンレスから成り、球状に形成されている。この様な回動部２１Ｄの上下には図示せぬ鈎状のフックが形成され、該フックが、支持部２１Ａの上面に形成された孔に回動可能に係合され、且つ後述する第２の回動部材２２の椅子側回動部２２Ａの下面に形成された孔に回動可能に係合されている。
【００２５】
また、回動部２０の構成に関し、該回動部２０の第２の回動部材２２は、椅子側回動部２２Ａ、支柱側回動部２２Ｂ、及び伸縮部２２Ｃから構成される。ここで、椅子側回動部２２Ａは、例えばステンレスから成り、内部に空間を有した板状に形成されている。この様な椅子側回動部２２Ａの下面に形成された図示せぬ孔に、第１の回動部材２１の回動部２１Ｄに形成された図示せぬフックが、回動可能に係合されている。また、支柱側回動部２２Ｂは、例えばステンレスから成り、板状から形成され、１軸の自動の駆動ステージが内蔵されている。また、伸縮部２２Ｃは、例えばステンレスから成り、板状に形成されている。この様な伸縮部２２Ｃは、該伸縮部２２Ｃの一端が椅子側回動部２２Ａに収納された状態で接合され、該伸縮部２２Ｃの他端が支柱側回動部２２Ｂに移動可能に収納されている。
【００２６】
同様に、回動部２０の構成に関し、該回動部２０の回動支持部材２３は、例えばステンレスから成り、板状に形成され、１軸の自動の駆動ステージが内蔵されている。この様な回動支持部材２３の上面は、支柱側回動部２２Ｂの下面に移動可能に係合されている。また、回動支持部材２３の下面は、後述する昇降部３０の上部支柱３１に接合されている。
【００２７】
ここで、回動部２０の動作に関して、介護用移動装置１を移動等させる場合には、該介護用移動装置１を小型化した方が、周囲を歩行する人や周囲に置かれた物品に干渉し難く、且つ転倒し難い。そこで、介護用移動装置１を移動等させる前に、後述する昇降部３０に配設された操作盤３３により、支柱側回動部２２Ｂに内蔵された１軸の自動の駆動ステージと、回動支持部材２３に内蔵された１軸の自動の駆動ステージとを、それぞれ動作させることで、介護用移動装置１を小型化する。なお、図１に示す介護用移動装置１は使用する時の状態であり、図２に示す介護用移動装置１は移動等させる時の状態である。
【００２８】
具体的には、回動部２０の動作に関して、支柱側回動部２２Ｂに内蔵された１軸の自動の駆動ステージを動作させることにより、伸縮部２２Ｃの他端が、支柱側回動部２２Ｂの内部に移動して収納される。なお、この状態では、伸縮部２２Ｃが支柱側回動部２２Ｂの内部に収納され、椅子側回動部２２Ａと支柱側回動部２２Ｂが隣接した状態で、停止している。同様に、回動支持部材２３に内蔵された１軸の自動の駆動ステージを動作させることにより、回動支持部材２３の上部に配設された支柱側回動部２２Ｂを、一端から他端へ移動させる。なお、この状態では、回動支持部材２３が、椅子側回動部２２Ａに隣接している支柱側回動部２２Ｂの他端の近傍まで移動して、停止している。ここで、図２に示す介護用移動装置１では、図１に示す介護用移動装置１と比較して、着席部１０と後述する昇降部３０との距離が短く、該介護用移動装置１が小型化されていることから、周囲を歩行する人や周囲に置かれた物品に干渉し難く、且つ転倒し難い。
【００２９】
なお、回動部２０の動作に関して、伸縮部２２Ｃの他端を支柱側回動部２２Ｂの内部に移動して収納する動作と、回動支持部材２３の上部に配設された支柱側回動部２２Ｂを一端から他端へ移動させる動作は、それぞれ自動に限定されることはなく、例えば手動ステージを用いて手動で行う構成としても良い。
【００３０】
第１の実施形態の介護用移動装置１を構成する昇降部３０は、図１に示すように、回動部２０を回動可能に保持し、体重測定機能を備え上下に昇降する。この様な昇降部３０は、上部支柱３１、下部支柱３２、及び操作盤３３から構成される。以下、昇降部３０の構成について説明する。
【００３１】
昇降部３０の構成に関し、該昇降部３０の上部支柱３１は、例えば、ステンレスから成り、円柱形状から形成されている。なお、上部支柱３１を軽量化するために、機械的強度を維持できる範囲で、該上部支柱３１の内部に空間を設けても良い。この様な上部支柱３１の上部接続部３１Ａは、回動部２０の回動支持部材２３に接合されている。また、上部支柱３１の下部挿入部３１Ｂは、後述する下部支柱３２の上部連結部３２Ａに挿入されている。
【００３２】
また、昇降部３０の構成に関し、該昇降部３０の下部支柱３２は、例えば、ステンレスから成り、円筒形状から形成されている。この様な下部支柱３２の上部連結部３２Ａには、上部支柱３１の下部挿入部３１Ｂが回動可能に挿入されている。また、下部支柱３２の下部接続部３２Ｂは、支持部５０に接続されている。また、下部支柱３２の上部連結部３２Ａの内部には、図示せぬ例えば油圧ジャッキと例えばダイヤフラム圧力計が配設されている。ここで、例えば、油圧ジャッキにより上部支柱３１を所定の距離だけ上昇させた場合に、下部支柱３２の上部連結部３２Ａに掛かる圧力の変化量をダイヤフラム圧力計で計測することにより、着席部１０に着席した被介護者の体重を測定する。また、上部支柱３１は、下部支柱３２の上部連結部３２Ａに回動可能に挿入されているため、上部支柱３１が接続された回動部２０を回動させることができる。なお、油圧ジャッキは、自動の油圧ジャッキに限定されることはなく、例えば足踏み方式による手動の油圧ジャッキを用いても良い。
【００３３】
同様に、昇降部３０の構成に関し、該昇降部３０の操作盤３３は、例えば、下部支柱３２に配設されている。この様な操作盤３３は、図４に示すように、例えば、体重表示部３３Ａ、上下操作部３３Ｂ、回動操作部３３Ｃ、及び伸縮操作部３３Ｄから構成されている。ここで、操作盤３３の体重表示部３３Ａは、下部支柱３２に設けられた油圧ジャッキと例えばダイヤフラム圧力計から成る体重測定機構に接続され、着席部１０の椅子１１に着席した被介護者の体重測定に係る操作を行い、体重を表示する。なお、着席部１０の椅子１１に被介護者が着席する直前に、体重表示部３３Ａに表示されている数値をリセットできる構成とする。また、操作盤３３の上下操作部３３Ｂは、下部支柱３２に挿入された上部支柱３１Ｂを上下に操作するものである。
【００３４】
同様に、昇降部３０の構成に関し、該昇降部３０の操作盤３３の回動操作部３３Ｃは、後述する係留部材４２の回動部４２Ｂの回動を操作し、支持部４２Ａに対して係留部４２Ｃを屈折等させるものである。また、操作盤３３の伸縮操作部３３Ｄは、回動部２０の支柱側回動部２２Ｂに内蔵された１軸の自動の駆動ステージを動作させ、且つ回動支持部材２３に内蔵された１軸の自動の駆動ステージを動作させることにより、回動部２０の全長を調整し、着席部１０と昇降部３０との距離を可変させるものである。
【００３５】
第１の実施形態の介護用移動装置１を構成する係留部４０は、図１に示すように、昇降部３０に設けられ、外部の機器に係留される係留部材を備えている。この様な係留部４０は、位置調整部材４１及び係留部材４２から構成される。以下、係留部４０の構成について説明する。
【００３６】
係留部４０の構成に関し、該係留部４０の位置調整部材４１は、例えばステンレスから成り、円筒形状から形成されている。この様な位置調整部材４１は、昇降部３０の下部支柱３２に通され、下部支柱３２に対して上下及び回動可能に固定されている。具体的には、例えば、位置調整部材４１の内周面に形成された図示せぬネジ溝と、下部支柱３２の外周面に形成された図示せぬネジ山が係合する構成とすることにより、位置調整部材４１が下部支柱３２に対して上下及び回動可能に固定されている。
【００３７】
また、係留部４０の構成に関し、該係留部４０の係留部材４２は、位置調整部材４１の外周面４１Ａに並列して２個配設されている。具体的には、一対の係留部材４２は、例えば、それぞれステンレスから成り、それぞれ角柱形状に形成された支持部４２Ａ及び係留部４２Ｃを、回動モータを内蔵した回動部４２Ｂで連結している。ここで、昇降部３０の操作盤３３の回動操作部３３Ｃを操作することにより、図１に示す様に係留部４２Ｃを支持部４２Ａに対して屈折した状態にすることができ、且つ図２に示す様に係留部４２Ｃを支持部４２Ａに対して延伸した状態にすることができる。なお、図２に示す状態で介護用移動装置１を移動させた上で、図１に示す状態で介護用移動装置１を使用する。
【００３８】
第１の実施形態の介護用移動装置１を構成する支持部５０は、図１に示すように、昇降部３０の下部を支持し、移動部材を備えている。この様な支持部５０は、支持部材５１、移動部材５２、及び固定スイッチ５３から構成される。以下、支持部５０の構成について説明する。
【００３９】
支持部５０の構成に関し、該支持部５０の支持部材５１は、例えば、鉄から成り、板状に形成されている。この様な支持部材５１の上面には、昇降部３０の下部支柱３２が接続されている。また、支持部５０の移動部材５２は、例えば、回動可能な車輪から成り、板状に形成された支持部材５１の下面の四隅に配設されている。また、支持部５０の固定スイッチ５３は、支持部材５１の下面の四隅に配設されている移動部材５２の回動を、制止又は解除するものである。具体的には、この様な固定スイッチ５３は、例えば電気式から成り、例えば、各移動部材５２に図示せぬブレーキパッドを付勢させ又は離間させるスイッチとする。
【００４０】
次に、介護用移動装置１の使用方法について、図５及び図６を参照しながら、具体的に説明する。
【００４１】
介護用移動装置１の使用方法に関し、図５に示すように、例えば、ベットＢ１の下部に設けられた板状の柵Ｓ１に、介護用移動装置１の係留部４０に設けられた係留部材４２の支持部４２Ａと係留部４２Ｃを当接させる。さらに、介護用移動装置１の支持部５０に設けられた移動部材５２の移動を、例えば、固定スイッチ５３を用いて制止する。この状態で、介護用移動装置１がベットＢ１に固定される。
【００４２】
また、介護用移動装置１の使用方法に関し、図６（ａ）に示すように、介護用移動装置１の回動部２０を回動させて着席部１０の椅子１１をベットＢ１の上方に移動させ、椅子１１の座席１１Ａと背もたれ１１Ｂが当接部１１Ｄを介して延伸した状態で、該椅子１１をベットＢ１の上面に載置する。この状態で、介護者Ｐ２が、被介護者Ｐ１を寝たままの状態でベットＢ１から延伸した椅子１１に移乗させる。次に、介護者Ｐ２が、介護用移動装置１の昇降部３０を用いて着席部１０の椅子１１を上昇させると、該椅子１１の座席１１Ａと背もたれ１１Ｂが当接部１１Ｄを介して屈折し、被介護者Ｐ１が椅子１１に自然に着席した状態になる。この状態で、介護者Ｐ２が、介護用移動装置１の回動部２０を図６（a）中の時計回りに回動させると、図６（ｂ）に示すように、被介護者Ｐ１が着席した椅子１１がベットＢ１の横に移動される。
【００４３】
同様に、介護用移動装置１の使用方法に関し、介護者Ｐ２が、介護用移動装置１の回動部２０を図６（ｂ）中の時計回りに回動させた上で、図６（ｃ）に示すように椅子１１を車椅子Ｃに近接さる。この状態で、介護者Ｐ２が、被介護者Ｐ１を椅子１１から車椅子Ｃに移乗させる。なお、図６（ａ）乃至図６（ｃ）に示す介護用移動装置１の使用に係る過程で、介護用移動装置１の昇降部３０に備えられた体重測定機能により、着席部１０に着席した被介護者Ｐ１の体重を測定する。その後、介護者Ｐ２が、車椅子Ｃを操作して、例えば、食堂やトイレに被介護者Ｐ１を移動させる。
【００４４】
以上、第１の実施形態の介護用移動装置１によれば、体重測定機能を付加した装置であって、該装置をベットに移動させ介護者及び被介護者の双方に負担が少なく容易に使用することができる。具体的には、第１の実施形態の介護用移動装置１によれば、図５に示すように、例えば、ベットＢ１の下部に設けられた板状の柵Ｓ１に、介護用移動装置１の係留部４０に設けられた係留部材４２の支持部４２Ａと係留部４２Ｃを当接させることにより、介護用移動装置１をベットＢ１に固定することができる。
【００４５】
また、第１の実施形態の介護用移動装置１によれば、座席１１Ａと背もたれ１１Ｂが延伸している状態の椅子１１に被介護者を寝たまま移乗させた上で、椅子１１が配設された着席部１０を回動部２０を介して昇降部３０により上昇させることにより、椅子１１が延伸した状態から屈折した状態になるため、寝ていた被介護者が椅子１１に無理なく着席できる。したがって、介護用移動装置１を用いることにより、介護者及び被介護者の双方に負担が掛かることなく、被介護者がベットから車椅子に対して容易に移乗することができる。
【００４６】
さらに、第１の実施形態の介護用移動装置１によれば、図６（ａ）乃至図６（ｃ）に示す介護用移動装置１の使用に係る過程で、介護用移動装置１の昇降部３０に備えられた体重測定機能により、着席部１０に着席した被介護者Ｐ１の体重を測定することができる。
【００４７】
［第２の実施形態］
以下、本考案の第２の実施形態の介護用移動装置２の構成及び使用方法について、図７を参照しながら、具体的に説明する。
【００４８】
なお、第２の実施形態の介護用移動装置２においては、介護用移動装置２を構成する係留部６０の係留部材が、複数設けられ、各係留部材が独立又は連動して動作可能であることに特徴を有している。また、それ以外の介護用移動装置２に係る構成は、基本的に第１の実施形態で述べた介護用移動装置１の構成と同様である。このため、第２の実施形態においては、第２の実施形態と異なる構成を中心に具体的に説明する。
【００４９】
第２の実施形態の介護用移動装置２を構成する係留部６０は、図７に示すように、昇降部３０に設けられ、外部の機器に係留される係留部材を備えている。この様な係留部６０は、第１の位置調整部材６１、第１の係留部材６２、第２の位置調整部材６３、及び第２の係留部材６４から構成される。以下、係留部６０の構成について説明する。
【００５０】
係留部６０の構成に関し、第１の係留部材６２が１個配設された第１の位置調整部材６１と、第２の係留部材６４が１個配設された第２の位置調整部材６３が、それぞれ昇降部３０の下部支柱３２に通され、下部支柱３２に対して上下及び回動可能に固定されている。なお、係留部６０を構成する各係留部材及び各位置調整部材の基本的な仕様は、前述した係留部４０を構成する係留部材４２及び位置調整部材４１の仕様と、同様である。ここで、介護用移動装置２の使用方法に関し、図７に示すように、例えば、ベットＢ２の下部に設けられた板状の柵Ｓ２に、介護用移動装置２の係留部６０に設けられた第１の係留部材６２の支持部６２Ａと係留部６２Ｃを当接させる。同様に、ベットＢ２の下部に設けられ板状の柵Ｓ２の下方に配設された板状の柵Ｓ２'に、介護用移動装置２の係留部６０に設けられた第２の係留部材６４の支持部６４Ａと係留部６４Ｃを当接させる。さらに、介護用移動装置２の支持部５０に設けられた移動部材５２の移動を、例えば、固定スイッチ５３を用いて制止する。この状態で、介護用移動装置２がベットＢ２に固定される。
【００５１】
以上、第２の実施形態の介護用移動装置２によれば、介護用移動装置１と同様に、体重測定機能を付加した装置であって、該装置をベットに移動させ介護者及び被介護者の双方に負担が少なく容易に使用することができる。
【００５２】
また、第２の実施形態の介護用移動装置２によれば、図７に示すように、例えば、ベットＢ２の下部に設けられた板状の柵Ｓ２に介護用移動装置２の係留部６０に設けられた第１の係留部材６２の支持部６２Ａと係留部６２Ｃを当接させ、且つベットＢ２の下部に設けられ板状の柵Ｓ２の下方に配設された板状の柵Ｓ２'に介護用移動装置２の係留部６０に設けられた第２の係留部材６４の支持部６４Ａと係留部６４Ｃを当接させることにより、介護用移動装置２をベットＢ２に強固に固定することができる。さらに、介護用移動装置２の使用に係る過程で、介護用移動装置１と同様に、介護用移動装置２の昇降部３０に備えられた体重測定機能により、着席部１０に着席した被介護者の体重を測定することができる。
【００５３】
［第３の実施形態］
以下、本考案の第３の実施形態の介護用移動装置３の構成及び使用方法について、図８を参照しながら、具体的に説明する。
【００５４】
なお、第３の実施形態の介護用移動装置３においては、介護用移動装置３を構成する係留部７０に係留部材が設けられ、且つ支持部８０に外部の機器に係留される係留部材が備えられていることに特徴を有している。また、それ以外の介護用移動装置３に係る構成は、基本的に第１の実施形態で述べた介護用移動装置１の構成と同様である。このため、第３の実施形態においては、第１の実施形態と異なる構成を中心に具体的に説明する。
【００５５】
第３の実施形態の介護用移動装置３を構成する係留部７０は、図８に示すように、昇降部３０に設けられ、外部の機器に係留される係留部材を備えている。この様な係留部７０は、位置調整部材７１及び係留部材７２から構成される。ここで、係留部材７２が配設された位置調整部材７１が、昇降部３０の下部支柱３２に通され、下部支柱３２に対して上下及び回動可能に固定されている。なお、係留部７０を構成する係留部材７２及び位置調整部材７１の基本的な仕様は、前述した係留部４０を構成する係留部材４２及び位置調整部材４１の仕様と、同様である。
【００５６】
第３の実施形態の介護用移動装置３を構成する支持部８０の支持部材８１は、例えば、鉄から成り、板状に形成されている。この様な支持部材８１の上面には、昇降部３０の下部支柱３２が接続されている。また、支持部材８１の一側面には、外部の機器に係留される係留部８１Ａが設けられている。また、支持部８０の移動部材８２及び固定スイッチ８３の仕様は、前述した支持部５０の移動部材５２及び固定スイッチ５３の仕様と、同様である。
【００５７】
ここで、介護用移動装置３の使用方法に関し、図８に示すように、例えば、ベットＢ３の下部に設けられた板状の柵Ｓ３に、介護用移動装置３の係留部７０に設けられた係留部材７２の支持部７２Ａと係留部７２Ｃを当接させる。同様に、ベットＢ３の下部に設けられ板状の柵Ｓ３の下方に配設された板状の柵Ｓ３'に、介護用移動装置３の支持部８０に設けられた支持部材８１の係留部８１Ａを当接させる。さらに、介護用移動装置３の支持部５０に設けられた移動部材５２の移動を、例えば、固定スイッチ５３を用いて制止する。この状態で、介護用移動装置３がベットＢ３に固定される。
【００５８】
以上、第３の実施形態の介護用移動装置３によれば、介護用移動装置１及び介護用移動装置２と同様に、体重測定機能を付加した装置であって、該装置をベットに移動させ介護者及び被介護者の双方に負担が少なく容易に使用することができる。
【００５９】
また、第３の実施形態の介護用移動装置３によれば、図８に示すように、例えば、ベットＢ３の下部に設けられた板状の柵Ｓ３に介護用移動装置３の係留部７０に設けられた係留部材７２の支持部７２Ａと係留部７２Ｃを当接させ、且つベットＢ３の下部に設けられ板状の柵Ｓ３の下方に配設された板状の柵Ｓ３'に介護用移動装置３の支持部８０に設けられた支持部材８１の係留部８１Ａを当接させることにより、介護用移動装置３をベットＢ３により強固に固定することができる。さらに、介護用移動装置３の使用に係る過程で、介護用移動装置１及び介護用移動装置２と同様に、介護用移動装置３の昇降部３０に備えられた体重測定機能により、着席部１０に着席した被介護者の体重を測定することができる。
【符号の説明】
【００６０】
１，２，３  介護用移動装置
１０  着席部
１１  椅子
１１Ａ  座席
１１Ｂ  背もたれ
１１Ｃ  便座
１１Ｄ  当接部
１２，１２Ａ，１２Ｂ，１２Ｃ，１２Ｄ  吊り下げバンド
１３，１３Ａ，１３Ｂ，１３Ｃ，１３Ｄ  保護部材
１４  シートベルト
１５  椅子
１５Ａ  座席
１５Ｂ  背もたれ
１５Ｃ  便座
１５Ｄ  当接部
１６，１６Ａ，１６Ｂ  保護部材
１７  椅子
１７Ａ  座席
１７Ｂ  背もたれ
１７Ｄ  当接部
２０    回動部
２１  第１の回動部材
２１Ａ  支持部
２１Ｂ  表示部
２１Ｃ  係留部
２１Ｄ  回動部
２２  第２の回動部材
２２Ａ  椅子側回動部
２２Ｂ  支柱側回動部
２２Ｃ  伸縮部
２３  回動支持部材
３０  昇降部
３１  上部支柱
３１Ａ  上部接続部
３１Ｂ  下部挿入部
３２  下部支柱
３２Ａ  上部連結部
３２Ｂ  下部接続部
３３  操作盤
３３Ａ  体重表示部
３３Ｂ  上下操作部
３３Ｃ  回動操作部
３３Ｄ  伸縮操作部
４０  係留部
４１  位置調整部材
４１Ａ  外周面
４２  係留部材
４２Ａ  支持部
４２Ｂ  回動部
４２Ｃ  係留部
５０  支持部
５１  支持部材
５２  移動部材
５３  固定スイッチ
６０  係留部
６１  第１の位置調整部材
６１Ａ  外周面
６２  第１の係留部材
６２Ａ  支持部
６２Ｂ  回動部
６２Ｃ  係留部
６３  第２の位置調整部材
６３Ａ  外周面
６４  第２の係留部材
６４Ａ  支持部
６４Ｂ  回動部
６４Ｃ  係留部
７０  係留部
７１  位置調整部材
７１Ａ  外周面
７２  係留部材
７２Ａ  支持部
７２Ｂ  回動部
７２Ｃ  係留部
８０  支持部
８１  支持部材
８１Ａ  係留部
８２  移動部材
８３  固定スイッチ
Ｂ１，Ｂ２，Ｂ３  ベット
Ｓ１，Ｓ２，Ｓ２'，Ｓ３，Ｓ３'  柵
Ｃ  車椅子
Ｐ１  被介護者
Ｐ２  介護者
【図１】
0003165018.tif 000003
【図２】
0003165018.tif 000004
【図３】
0003165018.tif 000005
【図４】
0003165018.tif 000006
【図５】
0003165018.tif 000007
【図６】
0003165018.tif 000008
【図７】
0003165018.tif 000009
【図８】
0003165018.tif 000010